(57)【要約】【課題】ポケット形成用シートの頂縁を容易に視認できるとともに、袋本体の閉状態を良好に保持しながらも、該袋本体を軽い力で開けることのできる咬合具を備えた包装用袋を提供する。【解決手段】合成樹脂製の袋本体２の開口部に、互いに咬合する雌雄爪を備えた咬合具４と、厚肉構造を有する咬合具４の基部周辺部７ａ，７ｂとを同時に着色して一体成形する。袋本体２の前面側の頂縁２ｂを後面側の頂縁２ｄよりも底部側に配設する。袋本体２の前面に、袋本体２と同一の幅を有し、袋本体２の咬合具４よりも底部側に頂縁３ｂが配置される合成樹脂製のポケット形成用シート３ａを重合し、重合した袋本体２とポケット形成用シート３ａの両側部及び底部をシールして袋本体２の前面にポケット３を形成する。袋本体２の前面側の頂縁２ｂ及び後面側の頂縁２ｄと、ポケット３の頂縁３ｂとに着色を施した玉縁を形成する。【選択図】  図１
0003128358.tif 000002
【実用新案登録請求の範囲】
【請求項１】
合成樹脂製の袋本体の開口部に、互いに咬合する雌雄爪を備えた帯状の咬合具と、厚肉構造を有する前記咬合具の基部周辺部とを同時に着色して一体成形するとともに、前記袋本体の前面側の頂縁を後面側の頂縁よりも底部側に配設し、該袋本体の前面に、該袋本体と同一の幅を有し、前記袋本体の咬合具よりも底部側に頂縁が配置される合成樹脂製のポケット形成用シートを重合し、重合した前記袋本体と前記ポケット形成用シートの両側部及び底部をシールして前記袋本体の前面にポケットを形成し、前記袋本体の前面側の頂縁及び後面側の頂縁と、前記ポケットの頂縁とに着色を施した玉縁を形成したことを特徴とする包装用袋。
【請求項２】
前記ポケットの頂縁に設けた玉縁の色を、前記咬合具及び袋体の玉縁の色と異なる色としたことを特徴とする請求項１記載の包装用袋。
【請求項３】
前記咬合具は、袋体開口側となる上部と袋体底部側となる下部とに鈎部をそれぞれ突出させた雄爪と、該雄爪の上下鈎部にそれぞれ係合する上下係合片を備えた雌爪とから成り、前記上部鈎部と上部係合片の上下方向の係合長さを、前記下部鈎部と下部係合片の上下方向の係合長さよりも小さく形成したことを特徴とした請求項１又は２記載の包装用袋。
【考案の詳細な説明】
【技術分野】
【０００１】
本発明は、合成樹脂製の包装用袋に係り、詳しくは、複数の袋体を重合して一体化させた包装用袋に関する。
【背景技術】
【０００２】
従来、複数の袋体を１つにまとめた合成樹脂製の多層袋体として、袋本体の前面に、袋本体と同一幅を有するポケットを一体的に形成し、袋本体の開口部に、雌雄爪を備えた帯状の咬合具を備えたものが提供されている（例えば、特許文献１参照。）。
【特許文献１】特開２００３−２３７７９８号公報
【考案の開示】
【考案が解決しようとする課題】
【０００３】
しかし、上述の包装用袋では、袋本体及びポケットを透明な合成樹脂で形成すると、袋本体やポケットの開口部が視認し難く、また、高齢者や子供のように握力が弱い人では、咬合具が開け難いことがあった。
【０００４】
そこで本考案は、袋本体やポケットの頂縁を容易に視認できるとともに、袋本体の閉状態を良好に保持しながらも、該袋本体を軽い力で開けることのできる咬合具を備えた包装用袋を提供することを目的としている。
【課題を解決するための手段】
【０００５】
上記の目的を達成するため本考案は、合成樹脂製の袋本体の開口部に、互いに咬合する雌雄爪を備えた帯状の咬合具と、厚肉構造を有する前記咬合具の基部周辺部とを同時に着色して一体成形するとともに、前記袋本体の前面側の頂縁を後面側の頂縁よりも底部側に配設し、該袋本体の前面に、該袋本体と同一の幅を有し、前記袋本体の咬合具よりも底部側に頂縁が配置される合成樹脂製のポケット形成用シートを重合し、重合した前記袋本体と前記ポケット形成用シートの両側部及び底部をシールして前記袋本体の前面にポケットを形成し、前記袋本体の前面側の頂縁及び後面側の頂縁と、前記ポケットの頂縁とに着色を施した玉縁を形成したことを特徴とし、前記ポケットの頂縁に設けた玉縁の色を、前記咬合具及び袋体の玉縁の色と異なる色とすると好適である。さらに、前記咬合具は、袋体開口側となる上部と袋体底部側となる下部とに鈎部をそれぞれ突出させた雄爪と、該雄爪の上下鈎部にそれぞれ係合する上下係合片を備えた雌爪とから成り、前記上部鈎部と上部係合片の上下方向の係合長さを、前記下部鈎部と下部係合片の上下方向の係合長さよりも小さく形成すると良い。
【考案の効果】
【０００６】
本考案は、上述のように袋本体の前面側の頂縁と後面側の頂縁とポケットの頂縁とを、底部側にずらして配置し、各頂縁に着色を施した玉縁を形成したことにより、袋本体及びポケット形成用シートを透明な合成樹脂で一体的に形成しても、袋本体やポケットの開口部を容易に視認することができる。また、袋本体の頂縁を底部側にずらして配置することにより、袋本体の前面シートと後面シートとを別々に掴みやすく、袋本体を簡単に開けることができる。
【０００７】
さらに、ポケットの頂縁に設けた玉縁の色を、前記咬合具及び袋体の玉縁の色と異なる色とすると、ポケットの開口部をより判別しやすくなり、好適である。
【０００８】
これにより、例えば、この包装用袋を病院や薬局で用いられる薬袋や、化粧品や健康食品などのサンプル品を入れる袋に適用した場合、袋本体に薬剤やサンプル品を入れ、ポケット形成用シートに説明書を入れてセットにして提供することができるようになるとともに、薬剤やサンプル品や説明書を良好に出し入れすることができる。また、薬局や業者が、薬剤やサンプル品やその説明書を袋詰めする際にも、袋詰めの作業を効率良く、確実に行うことができる。
【０００９】
また、袋本体の咬合具の基部周辺部を厚肉構造としたことにより、咬合具を開閉する際に、雄爪や雌爪が倒れることがなく、咬合具を容易に咬合することができるとともに、基部周辺部から咬合具に伝搬される力が大きくなり、咬合具の開閉操作を弱い力で簡単に行うことができ、咬合具の定着性も向上する。
【００１０】
さらに、袋本体に設ける咬合具は、上部鈎部と上部係合片の上下方向の係合長さを、前記下部鈎部と下部係合片の上下方向の係合長さよりも小さく形成することにより、袋体底部側からの力によって袋本体が不要に開くことがなく、袋本体の閉状態を良好に保持しながらも、開口側からは、軽い力で開けることができ、高齢者や子供のように握力が弱い人でも、袋本体を容易に開けることができる。
【考案を実施するための最良の形態】
【００１１】
以下、図面に基づいて本考案の形態例を説明する。図１は本考案の包装用袋を示す斜視図、図２は咬合具部分を示す拡大断面図である。
【００１２】
包装用袋１は、透明な合成樹脂製の袋本体２と、該袋本体２と同一の幅を有するポケット３とを備えたもので、周知の製造方法で前記袋本体２の前面シート２ａの前面に、ポケット形成用シート３ａを重ね、その両側部と底部とをシールすることにより、袋本体２の前面にポケット３が一体形成される。
【００１３】
袋本体２は、開口側の内面に、雌雄咬合型の帯状の着色を施した咬合具４が設けられるとともに、前面シート２ａの頂縁２ｂが、後面シート２ｃの頂縁２ｄよりも袋体底部側となる下方に配設され、該頂縁２ｂ，２ｄには、赤色や青色や白色の着色を施した玉縁がそれぞれ形成されている。
【００１４】
ポケット３は、シート部材３ａの頂縁３ｂが、袋本体２の咬合具４よりも下方に配設され、該頂縁３ｂには、袋本体２の頂縁２ｂ，２ｄと同様に着色を施した玉縁が形成され、その色は、咬合具４や袋本体２の頂縁２ｂ，２ｄに形成された玉縁の色と異なる色で、識別しやすい青色、赤色、黄色、緑色等の色が施される。
【００１５】
咬合具４は、図２に示されるように、袋体開口側となる上部と袋体底部側となる下部とに鈎部５ａ，５ｂをそれぞれ突出させ、後面シート２ｃに設けられた雄爪５と、該雄爪５の上下鈎部５ａ，５ｂにそれぞれ係合する上下係合片６ａ，６ｂを備え、前面シート２ａに設けられた雌爪６とで構成されている。また、雄爪５と雌爪６の基部周辺部７ａ，７ｂは厚肉に形成され、これら基部周辺部７ａ，７ｂと雄爪５と雌爪６とは、同時に着色されて一体形成される。
【００１６】
雄爪５は、後面シート側から前面シート側に突出する支持部５ｃと、該支持部５ｃの先端から上下方向に突出する前記鈎部５ａ，５ｂとが一体に形成されたもので、鈎部５ａの上面と鈎部５ｂの下面とは、先端側に向けて集束する円弧面５ｄ，５ｅとなっており、上部鈎部５ａは、下部鈎部５ｂよりも突出量が小さく、さらに、上部円弧面５ｄは、下部円弧面５ｅよりも緩やかな円弧に形成されている。また、この雄爪５は、包装用袋１の上下方向を鉛直方向としたときに、中心線Ｌが下方に傾斜するように前面シート２ａ側に突出している。
【００１７】
雌爪６の上部係合片６ａは、前記上部鈎部５ａを上方から囲繞する弾性を備えた円弧状に形成され、先端部には、下方に折曲した係合部６ｃが形成されている。下部係合片６ｂも、上部係合片６ａと同様に、前記下部鈎部５ｂを下方から囲繞する弾性を備えた円弧状に形成され、先端部には、上方に折曲した係合部６ｄが形成されている。
【００１８】
咬合具４は、雌爪６の上部係合片６ａと下部係合片６ｂとの間に形成される空間部８に雄爪５の鈎部５ａ，５ｂを挿入し、鈎部５ａ，５ｂに前記係合部６ｃ，６ｄを係合させることによって閉状態となる。このとき、上部鈎部５ａは、下部鈎部５ｂよりも突出量が小さく、さらに、上部円弧面５ｄは、下部円弧面５ｅよりも緩やかな円弧に形成されていることから、上部鈎部５ａと上部係合部６ｃの上下方向の係合長さが、下部鈎部５ｂと下部係合部６ｄの上下方向の係合長さよりも小さくなっている。
【００１９】
本形態例の包装用袋１は、以上のように、袋本体２の頂縁２ｂ，２及びポケット３の頂縁３ｂに着色を施した玉縁を形成したことにより、これら頂縁２ｂ，２ｄ，３ｂを容易に視認することができ、特にポケット３の頂部３ｂを目立たせることができる。また、袋本体２の前面シート２ａの頂縁２ｂが、後面シート２ｃの頂縁２ｄよりも底部側に配設されていることから、前面シート２ａと後面シート２ｃとを別々に掴みやすく、簡単に袋本体２を開けることができる。
【００２０】
さらに、咬合具４は、上部鈎部５ａと上部係合部６ｃの上下方向の係合長さが、下部鈎部５ｂと下部係合部６ｄの上下方向の係合長さよりも小さく、また、雄爪５の中心線Ｌが下方に傾斜するように突出していることから、閉状態としたときに、袋体底部側からの力によっては、袋本体２が不要に開くことがなく、袋本体２の開口側からは、高齢者や子供のように握力が弱い人でも、軽い力で咬合具を開けることができる。
【００２１】
特に、この包装用袋を病院や薬局で用いられる薬袋や、化粧品や健康食品などのサンプル品を入れる袋に適用した場合では、薬剤やサンプル品を袋本体２に入れ、その説明書をポケット３に入れることにより、薬剤やサンプル品とその説明書とをセットにして収容できるので良好に保管することができる。また、薬剤やサンプル品や説明書を出し入れする際に、袋本体２やポケット３の頂縁２ｂ，２ｄ，３ｂを容易に視認でき、特に、ポケット３の頂縁３ｂが目立つことから、間違いなく取り出しや収容をすることができる。
【００２２】
さらに、袋本体２の咬合具４は、上述のように、袋本体２の袋体底部側からの力によっては不要に開くことがなく、開口側からは、軽い力で開けることができることから、薬剤やサンプル品を確実に収容できるとともに、取り出す際には、高齢者や子供のように握力が弱い人でも、袋本体２を容易に開けて取り出すことができる。
【００２３】
また、雄爪５と雌爪６の基部周辺部７ａ，７ｂを厚肉に形成することにより、咬合具４を開閉する際に、雄爪５や雌爪６が倒れることがなく、咬合具４を容易に咬合することができるとともに、基部周辺部７ａ，７ｂから咬合具４に伝搬される力が大きくなり、咬合具４の開閉操作を弱い力でより簡単に行うことができるようになり、咬合具の定着性も向上する。
【００２４】
さらに、この包装用袋１に、薬局や業者で薬剤やサンプル品やこれらの説明書を袋詰めする際にも、袋本体２やポケット３の頂縁２ｂ，２ｄ，３ｂを容易に視認でき、また、袋本体２を容易に開閉できることから、効率的に袋詰めをすることができるとともに、誤りなく袋詰めを行うことができる。
【００２５】
なお、本考案は上述の形態例に限るものではなく、袋本体の前面及び後面の双方にポケットを設けることもでき、また、袋本体やポケットの頂縁に施す着色も任意である。さらに、薬剤やサンプル品の収納に用いられるだけではなく、その他広い用途に用いることができる。
【図面の簡単な説明】
【００２６】
【図１】本考案の一形態例を示す包装用袋の斜視図である。
【図２】同じく包装用袋の咬合具部分を示す拡大断面図である。
【符号の説明】
【００２７】
１…包装用袋、２…袋本体、２ａ…前面シート、２ｃ…後面シート、２ｂ，２ｄ…頂縁、３…ポケット、３ａ…ポケット形成用シート、３ｂ…頂縁、４…咬合具、５…雄爪、５ａ，５ｂ…鈎部、５ｃ…支持部、５ｄ，５ｅ…円弧面、６…雌爪、６ａ，６ｂ…係合片、６ｃ，６ｄ…係合部、７ａ，７ｂ…基部周辺部、８…空間部
【図１】
0003128358.tif 000003
【図２】
0003128358.tif 000004